【手続補正書】
【提出日】平成30年5月28日(2018.5.28)
【手続補正１】
【補正対象書類名】明細書
【補正対象項目名】００１１
【補正方法】変更
【補正の内容】
【００１１】
図面は、技術の実施形態を図示し、限定的ではない。図示を明確かつ容易にするために、図面は、スケール通りで作製されない場合があり、いくつかの場合には、種々の側面が、特定の実施形態の理解を促進するように誇張または拡大されて示され得る。
【図１】図１は、光学ベンチに固着され、それに固着された複数の光学要素を有する、低干渉光学マウントアセンブリの実施形態の斜視図である。
【図２】図２は、光学要素および光学ベンチを伴わずに示される、図１の低干渉光学マウントの斜視図である。
【図３】図３は、図２の低干渉光学マウントアセンブリの正面図である。
【図４】図４は、および４は、図２の低干渉光学マウントアセンブリの側面図である。
【図５】図５は、回転支持フレームアセンブリの斜視図である。
【図６】図６は、回転支持フレームの実施形態の立面図である。
【図７】図７は、図６の回転支持フレーム実施形態の斜視図である。
【図８】図８は、板ばねプレートの実施形態の斜視図である。
【図９】図９は、光学マウント（図示せず）によって占有され得る光学要素の使用可能表面の割合を描写する、光学要素の概略図である。
【図１０】図１０は、市販の光学マウント（図示せず）によって占有され得る光学要素の使用可能表面の割合を描写する、光学要素の概略図である。
【図１１】図１１は、市販型光学マウントの中に配置される光学要素の立面における概略図である。
【図１２】図１２は、図１１の光学要素および光学マウント、ならびに光学要素に向かって複数のビームを発している光ビーム源の概略上面図である。
【図１３】図１３は、図３の低干渉光学マウントアセンブリの断面図である。
【図１４】図１４は、光学マウントアセンブリ実施形態を描写する、図１３の拡大図である。
【図１５】図１５は、図３の光学マウントアセンブリ実施形態に搭載される光学要素も含む、図１３の拡大図である。
【図１６】図１６は、光学要素と係合させられる接点実施形態を描写する、図１５の拡大図である。
【図１７】図１７は、実施形態へのガードリングの追加を伴う、図１の低干渉光学マウントアセンブリ実施形態を描写する。
【図１８】図１８は、光学ベンチに縦一列に固着される、複数の低干渉光学マウントアセンブリ実施形態（および複数の搭載された光学要素）を示す。
【図１９】図１９は、光学ベンチに縦一列に固着される、複数の低干渉光学マウントアセンブリ実施形態（および複数の搭載された光学要素）を示す。
【図２０】図２０は、低干渉光学マウント実施形態および低干渉光学マウント実施形態に搭載される光学要素の斜視図である。
【図２１】図２１は、光学マウント本体の一部が隠されている、図２０の低干渉光学マウント実施形態の斜視図である。
【図２２】図２２は、図２０の低干渉光学マウント実施形態および光学要素の両方の断面図である。
【図２３】図２３は、低干渉光学マウント実施形態およびこの実施形態に搭載される光学要素の斜視図である。
【図２４】図２４は、図２３の低干渉光学マウント実施形態および光学要素の立面図である。
【図２５】図２５は、図２３の低干渉光学マウント実施形態の上面図である。
【図２６】図２６は、図２３の低干渉光学マウント実施形態および光学要素の断面における立面図である。
【図２７】図２７は、低干渉光学マウント実施形態およびこの光学マウント実施形態に搭載される光学要素の斜視図である。
【図２８】図２８は、図２７の低干渉光学マウント実施形態および光学要素の断面図である。
【図２９】図２９は、低干渉光学マウントアセンブリの実施形態の概略図の立面図である。
【図３０】図３０は、低干渉光学マウントアセンブリの実施形態の概略図の立面図である。
【図３１】図３１は、低干渉光学マウントアセンブリ実施形態の斜視図である。
【図３２】図３２は、複数の光学要素が実施形態に搭載された、図３１の低干渉光学マウントアセンブリ実施形態の斜視図である。
【図３３】図３３は、図３１の低干渉光学マウントアセンブリ実施形態の正面図である。
【図３４】図３４は、図３１の低干渉光学マウントアセンブリ実施形態の側面図である。
【図３５】図３５は、図３４の実施形態の囲まれた部分３５の拡大図である。
【図３６】図３６は、クランプ板実施形態の斜視図である。
【図３７】図３７は、図３６のクランプ板実施形態およびクランプ板に連結された複数の光学要素の立面図である。
【図３８】図３８は、図３６のクランプ板実施形態およびクランプ板に連結された複数の光学要素の立面図である。
【図３９】図３９は、回転支持フレーム実施形態の立面図である。
【図４０】図４０は、図３９の回転支持フレーム実施形態、光学マウント実施形態、およびボール戻り止め装置の複数の実施形態の断面図である。
【手続補正２】
【補正対象書類名】明細書
【補正対象項目名】００２４
【補正方法】変更
【補正の内容】
【００２４】
いくつかの市販の光学マウント８０は、それらのマウント面積９２が光学要素１２の使用可能表面の最大約２５％に干渉するように構成されてもよい。加えて、いくつかの市販の光学マウント構成は、そのような光学マウント８０に搭載される光学要素１２の取り込み角を制限してもよい。図１２は、市販の光学マウント８０、光学マウント８０の光学陥凹８４の中に搭載される光学要素１２、および光源９６（レーザ等）を描写する。光源９６は、光源９６のレンズ１０２から第１の出力ビーム９８および第２の出力ビーム１００を発して示されている。光源９６からの第１の出力ビーム９８は、光源９６のレンズ１０２と実質的に垂直であるように、光源９６から出射する。第１の出力ビーム９８は、第１の使用可能表面６２および第２の使用可能表面６４を通過し、光学干渉を伴わずに光学マウント８０から出射する。光源９６からの第２の出力ビーム１００は、光源９６のレンズ１０２から斜めに出射する。第２の出力ビーム１００は、光学要素１２の第１の使用可能表面６２および第２の使用可能表面６４を通過するが、市販の光学マウント８０の光学マウント本体８２によって光学的に干渉される。したがって、市販の光学マウント８０の幅は、そのような光学マウント８０の中に搭載される光学要素１２の取り込み角に関する制限であり得る。したがって、干渉がない縁を伴って光学要素１２を搭載する、本明細書で議論される光学マウント実施形態は、光学装置の光ビームとの相互作用のために利用可能である、はるかにより広い使用可能面積を提供する。
【手続補正３】
【補正対象書類名】明細書
【補正対象項目名】００６５
【補正方法】変更
【補正の内容】
【００６５】
第２の光学停止構造２５７は、接触表面２５４の平面の上方に延在し、約８５度〜約９５度の内角２６３を伴うＶ字形構成を有する、隆起構造として構成されてもよい。図３８は、複数の第２の光学停止構造２５７を使用してクランプ板２５０の複数の光学レセプタクル２５２の中へ搭載される、複数の光学要素２２３を描写する。それぞれの光学停止構造２５７に搭載される各光学要素２２３は、回転軸２４から第２の要素半径２６６の距離において半径方向に配置されてもよい。それぞれの光学停止構造２５６の中に搭載される各光学要素２２３は、各隣接光学要素２２３から（回転軸２４の周囲の）角度円周方向分離２５５において円周方向に配置されてもよい。第２の光学停止構造２５７は、光学要素２２３の少なくとも１つの外面２５９が光学要素２２３のそれぞれの第２の要素半径２６６と実質的に垂直であるように、光学要素２２３の複数の外面２５９（図３２参照）に接触するように構成されてもよい。
【手続補正４】
【補正対象書類名】明細書
【補正対象項目名】００６７
【補正方法】変更
【補正の内容】
【００６７】
回転支持板１６は、フレーム調節ノブ３０が、潤滑軸受１３２を通過するシャフト１４０によって回転支持板１６に固着される、図１３に示される実施形態について説明されたものと類似する様式で、基礎部材１４に回転可能に固着されてもよい。回転支持板１６と基礎部材１４との間のインターフェースは、複数の光学レセプタクル２５２の角度円周方向間隔に合致するように構成される角度円周方向戻り止め間隔を組み込む、少なくとも１つのボール戻り止め装置を含んでもよい。該ボール戻り止め装置は、上記で議論されるボール戻り止め装置２６８と同一または類似であり得る。回転支持板１６と基礎部材１４との間のボール戻り止め装置は、低干渉光学マウントアセンブリ１０について以前に議論されているように、複数の光学レセプタクル２５２の円周方向間隔に合致するように構成されるインデキシングを有するインデックス化構成で、回転支持フレーム１６が、回転軸２４の周囲で基礎部材１４に対してツールを使用することなく手動で回転させられることができるように構成される。基礎部材１４は、回転軸２４と垂直である少なくとも１つのねじ孔を含んでもよく、ねじ孔は、光学支柱１４８に便宜的に搭載されるように構成される。